(57)【要約】【課題】針掛かりしやすく、針掛かりした魚からの影響を抑制しやすい釣り用ルアーを提供する。【解決手段】釣り用ルアー１は、背部１１を有するルアー本体１０と、ルアー本体１０の先端１０ｔに固定され道糸５が連結される第１連結部１３と、第１連結部１３に仕掛け糸２１を介して繋がれた釣り針部２０と、を備える。ルアー本体１０は、第１連結部１３から離れて背部１１に取り付けられた背側磁石１７を有し、釣り針部２０は、仕掛け糸２１が繋がれた第２連結部２３と、第２連結部２３に続く胴部２５と、胴部２５から伸びた針先２７と、胴部２５に取り付けられた胴側磁石２９とを有する。第２連結部２３を第１連結部１３の側に向けて胴側磁石２９を背側磁石１７に吸着させたとき、仕掛け糸２１は、背部１１に沿って位置する長さＬｗを有し、釣り針部２０は、胴部２５と針先２７を含む背側仮想平面ＩＰを背部１１に背びれ状に位置させる。【選択図】図１
2019017296.tif 000002
【特許請求の範囲】
【請求項１】
長さ方向に延びる背部を有するルアー本体と、前記ルアー本体の先端に固定され道糸が連結される第１連結部と、前記第１連結部に仕掛け糸を介して繋がれた釣り針部と、を備える釣り用ルアーであって、
前記ルアー本体は、前記第１連結部から離れて前記背部に取り付けられた背側磁石を有し、
前記釣り針部は、前記仕掛け糸が繋がれた第２連結部と、前記第２連結部に続く胴部と、前記胴部から伸びた針先と、前記胴部に取り付けられた胴側磁石とを有し、
前記第２連結部を前記第１連結部に向けて前記胴側磁石を前記背側磁石に吸着させたとき、前記仕掛け糸は、前記第２連結部を前記背部に位置決めする長さを有し、前記釣り針部は、前記胴部と前記針先を含む背側仮想平面を前記長さ方向に沿って背びれ状に位置させること
を特徴とする釣り用ルアー。
【請求項２】
請求項１に記載の釣り用ルアーであって、
前記釣り針部は、更に２つの補助針を備え、
前記補助針はそれぞれ、前記胴部に沿う補助胴部と、前記補助胴部から伸びた補助針先と、を備え、
前記補助針はそれぞれ、前記補助胴部と前記補助針先を含む背側補助仮想平面を前記背側仮想平面に対して前記胴部の円周回りで略１２０度離して位置させること
を特徴とする釣り用ルアー。
【請求項３】
長さ方向に延びる腹部を有するルアー本体と、前記ルアー本体の先端に固定され道糸が連結される第１連結部と、前記第１連結部に仕掛け糸を介して繋がれた釣り針部と、を備える釣り用ルアーであって、
前記ルアー本体は、前記第１連結部から離れて前記腹部に取り付けられた腹側磁石を有し、
前記釣り針部は、前記仕掛け糸が繋がれた第２連結部と、前記第２連結部に続く胴部と、前記胴部から伸びた針先と、前記胴部に取り付けられた胴側磁石とを有し、
前記第２連結部を前記第１連結部に向けて前記胴側磁石を前記腹側磁石に吸着させたとき、前記仕掛け糸は、前記第２連結部を前記腹部に位置決めする長さを有し、前記釣り針部は、前記胴部と前記針先を含む腹側仮想平面を前記長さ方向に沿って垂下状に位置させること
を特徴とする釣り用ルアー。
【請求項４】
請求項３に記載の釣り用ルアーであって、
前記釣り針部は、更に２つの補助針を備え、
前記補助針はそれぞれ、前記胴部に沿う補助胴部と、前記補助胴部から伸びた補助針先と、を備え、
前記補助針はそれぞれ、前記補助胴部と前記補助針先を含む腹側補助仮想平面を前記腹側仮想平面に対して前記胴部の円周回りで略１２０度離して位置させること
を特徴とする釣り用ルアー。
【請求項５】
長さ方向に延びる背部および腹部を有するルアー本体と、前記ルアー本体の先端に固定され道糸が連結される第１連結部と、前記第１連結部に仕掛け糸を介して繋がれた釣り針部と、を備える釣り用ルアーであって、
前記ルアー本体は、前記第１連結部から離れて前記背部に取り付けられた背側磁石と、前記第１連結部から離れて前記腹部に取り付けられた腹側磁石と、を有し、
前記釣り針部は、前記仕掛け糸が繋がれた第２連結部と、前記第２連結部に続く胴部と、前記胴部から伸びた針先と、前記胴部に取り付けられた胴側磁石と、を有し、
前記第２連結部を前記第１連結部に向けて、前記胴側磁石を前記背側磁石に吸着させたとき、前記仕掛け糸は、前記第２連結部を前記背部に位置決めする長さを有し、前記釣り針部は、前記胴部と前記針先を含む背側仮想平面を前記長さ方向に沿って背びれ状に位置させ、あるいは、
前記第２連結部を前記第１連結部に向けて、前記胴側磁石を前記腹側磁石に吸着させたとき、前記仕掛け糸は、前記第２連結部を前記腹部に位置決めする長さを有し、前記釣り針部は、前記胴部と前記針先を含む腹側仮想平面を前記長さ方向に沿って垂下状に位置させること
を特徴とする釣り用ルアー。
【請求項６】
請求項５に記載の釣り用ルアーであって、
前記釣り針部は、更に２つの補助針を備え、
前記補助針はそれぞれ、前記胴部に沿う補助胴部と、前記補助胴部から伸びた補助針先と、を備え、
前記補助針はそれぞれ、前記補助胴部と前記補助針先を含む背側補助仮想平面を前記背側仮想平面に対して前記胴部の円周回りで略１２０度離して位置させ、あるいは、前記補助胴部と前記補助針先を含む腹側補助仮想平面を前記腹側仮想平面に対して前記胴部の円周回りで略１２０度離して位置させること
を特徴とする釣り用ルアー。
【請求項７】
請求項２、請求項４、または請求項６に記載の釣り用ルアーであって、
２つの前記補助胴部はそれぞれ、前記胴部と前記胴側磁石との間に位置していること
を特徴とする釣り用ルアー。
【請求項８】
請求項１または請求項５に記載の釣り用ルアーであって、
前記背側磁石および前記胴側磁石はそれぞれ、互いに同一寸法であり、前記長さ方向に２つ位置していること
を特徴とする釣り用ルアー。
【請求項９】
請求項３または請求項５に記載の釣り用ルアーであって、
前記腹側磁石および前記胴側磁石はそれぞれ、互いに同一寸法であり、前記長さ方向に２つ位置していること
を特徴とする釣り用ルアー。
【発明の詳細な説明】
【技術分野】
【０００１】
本発明は、大きな魚体に適用しやすい釣り用ルアーに関する。
【背景技術】
【０００２】
実際の餌の代わりに餌を模した釣り用ルアーが知られている。また、釣り用ルアーに付した釣り針を保持するために磁石を適用したものが提案されている（例えば、特許文献１参照、特許文献２参照。）。
【０００３】
特許文献１のルアーは、釣り針をルアー本体の背部に倒した状態で固定する磁石に吸着させる。また、釣り針の胴部は、背部に形成された凹部に収納されている。ルアーは、これにより、針掛かりが良く、釣り針とルアー本体のバランスを崩さないとしている。釣り針は、連結リングを介して連結部に連結されている。
【０００４】
特許文献２の疑似餌装置によれば、釣り針を磁石で吸着させ、本体と釣針の動作を同調できるとしている。また、釣り針は、連結環を介して釣針係止部に連結されている。
【先行技術文献】
【特許文献】
【０００５】
【特許文献１】特開２００４−３３７０６３号公報
【特許文献２】特開平１０−２４８４４３号公報
【発明の概要】
【発明が解決しようとする課題】
【０００６】
しかしながら、従来の技術には次のような課題があった。
例えば、特許文献１のルアーは、ルアー本体に凹部が必要であり製造工程が複雑化する。また、釣り針の突出度が低いので、針掛かりが弱くなりやすい。また、釣り針は、連結リングを介して連結部に直接連結されているので、針掛かりしたときにルアー本体へ影響を生じやすい。
また、特許文献２の疑似餌装置では、連結環で動きを拘束される釣り針は、動作範囲が限られているので、針掛かりしたときにルアー本体へ影響を生じやすい。
本発明はこのような状況に鑑みてなされたものであり、針掛かりしやすく、針掛かりしたときにルアー本体へ生じる影響を抑制しやすい釣り用ルアーを提供することを目的とする。
【課題を解決するための手段】
【０００７】
本発明に係る釣り用ルアーは、長さ方向に延びる背部を有するルアー本体と、前記ルアー本体の先端に固定され道糸が連結される第１連結部と、前記第１連結部に仕掛け糸を介して繋がれた釣り針部と、を備える釣り用ルアーであって、前記ルアー本体は、前記第１連結部から離れて前記背部に取り付けられた背側磁石を有し、前記釣り針部は、前記仕掛け糸が繋がれた第２連結部と、前記第２連結部に続く胴部と、前記胴部から伸びた針先と、前記胴部に取り付けられた胴側磁石とを有し、前記第２連結部を前記第１連結部に向けて前記胴側磁石を前記背側磁石に吸着させたとき、前記仕掛け糸は、前記第２連結部を前記背部に位置決めする長さを有し、前記釣り針部は、前記胴部と前記針先を含む背側仮想平面を前記長さ方向に沿って背びれ状に位置させることを特徴とする。
本発明に係る釣り用ルアーにおいて、釣り針部は、背部から垂直方向に突き出した状態で移動するので、魚がルアー本体を捕食しようとしてそのまま釣り針部に接近しやすく、直接針掛かりしやすくなる。
魚が針掛かりしたとき、胴側磁石は、魚の動きに応じて背側磁石から分離し、釣り針部は、自由に動く状態となる。仕掛け糸は、ルアー本体への固定状態から離れた自由状態となるので、釣り用ルアーは、針掛かりした魚からの影響を抑制しやすい。
また、本発明の一実施の形態に係る釣り用ルアーでは、前記釣り針部は、更に２つの補助針を備え、前記補助針はそれぞれ、前記胴部に沿う補助胴部と、前記補助胴部から伸びた補助針先と、を備え、前記補助針はそれぞれ、前記補助胴部と前記補助針先を含む背側補助仮想平面を前記背側仮想平面に対して前記胴部の円周回りで略１２０度離して位置させることを特徴とする。
【０００８】
また、本発明に係る釣り用ルアーは、長さ方向に延びる腹部を有するルアー本体と、前記ルアー本体の先端に固定され道糸が連結される第１連結部と、前記第１連結部に仕掛け糸を介して繋がれた釣り針部と、を備える釣り用ルアーであって、前記ルアー本体は、前記第１連結部から離れて前記腹部に取り付けられた腹側磁石を有し、前記釣り針部は、前記仕掛け糸が繋がれた第２連結部と、前記第２連結部に続く胴部と、前記胴部から伸びた針先と、前記胴部に取り付けられた胴側磁石とを有し、前記第２連結部を前記第１連結部に向けて前記胴側磁石を前記腹側磁石に吸着させたとき、前記仕掛け糸は、前記第２連結部を前記腹部に位置決めする長さを有し、前記釣り針部は、前記胴部と前記針先を含む腹側仮想平面を前記長さ方向に沿って垂下状に位置させることを特徴とする。
本発明に係る釣り用ルアーにおいて、釣り針部は、腹部から垂下方向に突き出した状態で移動するので、魚がルアー本体を捕食しようとしてそのまま釣り針部に接近しやすく、直接針掛かりしやすくなる。
魚が針掛かりしたとき、胴側磁石は、魚の動きに応じて腹側磁石から分離し、釣り針部は、自由に動く状態となる。仕掛け糸は、ルアー本体への固定状態から離れた自由状態となるので、釣り用ルアーは、針掛かりした魚からの影響を抑制しやすい。
また、本発明の一実施の形態に係る釣り用ルアーでは、前記釣り針部は、更に２つの補助針を備え、前記補助針はそれぞれ、前記胴部に沿う補助胴部と、前記補助胴部から伸びた補助針先と、を備え、前記補助針はそれぞれ、前記補助胴部と前記補助針先を含む腹側補助仮想平面を前記腹側仮想平面に対して前記胴部の円周回りで略１２０度離して位置させることを特徴とする。
【０００９】
また、本発明に係る釣り用ルアーは、長さ方向に延びる背部および腹部を有するルアー本体と、前記ルアー本体の先端に固定され道糸が連結される第１連結部と、前記第１連結部に仕掛け糸を介して繋がれた釣り針部と、を備える釣り用ルアーであって、前記ルアー本体は、前記第１連結部から離れて前記背部に取り付けられた背側磁石と、前記第１連結部から離れて前記腹部に取り付けられた腹側磁石と、を有し、前記釣り針部は、前記仕掛け糸が繋がれた第２連結部と、前記第２連結部に続く胴部と、前記胴部から伸びた針先と、前記胴部に取り付けられた胴側磁石と、を有し、前記第２連結部を前記第１連結部に向けて、前記胴側磁石を前記背側磁石に吸着させたとき、前記仕掛け糸は、前記第２連結部を前記背部に位置決めする長さを有し、前記釣り針部は、前記胴部と前記針先を含む背側仮想平面を前記長さ方向に沿って背びれ状に位置させ、あるいは、前記第２連結部を前記第１連結部に向けて、前記胴側磁石を前記腹側磁石に吸着させたとき、前記仕掛け糸は、前記第２連結部を前記腹部に位置決めする長さを有し、前記釣り針部は、前記胴部と前記針先を含む腹側仮想平面を前記長さ方向に沿って垂下状に位置させることを特徴とする。
本発明に係る釣り用ルアーにおいて、釣り針部は、背部から垂直方向に、あるいは、腹部から垂下方向に突き出した状態で移動するので、魚がルアー本体を捕食しようとしてそのまま釣り針部に接近しやすく、直接針掛かりしやすくなる。
魚が針掛かりしたとき、胴側磁石は、魚の動きに応じて背側磁石あるいは腹側磁石から分離し、釣り針部は、自由に動く状態となる。仕掛け糸は、ルアー本体への固定状態から離れた自由状態となるので、釣り用ルアーは、針掛かりした魚からの影響を抑制しやすい。
また、本発明の一実施の形態に係る釣り用ルアーでは、前記釣り針部は、更に２つの補助針を備え、前記補助針はそれぞれ、前記胴部に沿う補助胴部と、前記補助胴部から伸びた補助針先と、を備え、前記補助針はそれぞれ、前記補助胴部と前記補助針先を含む背側補助仮想平面を前記背側仮想平面に対して前記胴部の円周回りで略１２０度離して位置させ、あるいは、前記補助胴部と前記補助針先を含む腹側補助仮想平面を前記腹側仮想平面に対して前記胴部の円周回りで略１２０度離して位置させることを特徴とする。
【００１０】
また、本発明の一実施の形態に係る釣り用ルアーでは、２つの前記補助胴部はそれぞれ、前記胴部と前記胴側磁石との間に位置していることを特徴とする。
また、本発明の一実施の形態に係る釣り用ルアーでは、前記背側磁石および前記胴側磁石はそれぞれ、互いに同一寸法であり、前記長さ方向に２つ位置していることを特徴とする。
また、本発明の一実施の形態に係る釣り用ルアーでは、前記腹側磁石および前記胴側磁石はそれぞれ、互いに同一寸法であり、前記長さ方向に２つ位置していることを特徴とする。
【発明の効果】
【００１１】
本発明に係る釣り用ルアーは、針掛かりしやすく、針掛かりした魚からの影響を抑制しやすいという効果を奏する。
【図面の簡単な説明】
【００１２】
【図１】本発明の実施の形態１に係る釣り用ルアーの側面状態を示す側面図である。
【図２】図１の矢印ＦＳ２−ＦＳ２における断面状態を拡大して示す拡大断面図である。
【図３】図１に示した釣り用ルアーに魚が針掛かりしたときの状態を概念的に示す概念図である。
【図４】本発明の実施の形態２に係る釣り用ルアーの側面状態を示す側面図である。
【図５】図４の矢印ＦＳ５−ＦＳ５における断面状態を拡大して示す拡大断面図である。
【図６】本発明の実施の形態３に係る釣り用ルアーの側面状態を示す側面図である。
【図７】図６の矢印ＦＳ７−ＦＳ７における断面状態を拡大して示す拡大断面図である。
【図８】本発明の実施の形態４に係る釣り用ルアーの側面状態を示す側面図である。
【図９】図８の矢印ＦＳ９−ＦＳ９における断面状態を拡大して示す拡大断面図である。
【図１０】本発明の実施の形態６に係る釣り用ルアーの側面状態を概念的に示す側面図である。
【発明を実施するための形態】
【００１３】
以下、本発明の実施の形態１ないし実施の形態６について図面（図１ないし図１０）を参照して説明する。
［実施の形態１］
図１ないし図３を参照して、本実施の形態１に係る釣り用ルアー１について説明する。
図１は、本発明の実施の形態１に係る釣り用ルアー１の側面状態を示す側面図である。
図２は、図１の矢印ＦＳ２−ＦＳ２における断面状態を拡大して示す拡大断面図である。
図３は、図１に示した釣り用ルアー１に魚が針掛かりしたときの状態を概念的に示す概念図である。
【００１４】
釣り用ルアー１は、長さ方向ＤＬに延びる背部１１を有するルアー本体１０と、ルアー本体１０の先端１０ｔに固定され道糸５が連結される第１連結部１３と、第１連結部１３に仕掛け糸２１を介して繋がれた釣り針部２０と、を備える。
ルアー本体１０は、第１連結部１３から離れて背部１１に取り付けられた背側磁石１７を有し、釣り針部２０は、仕掛け糸２１が繋がれた第２連結部２３と、第２連結部２３に続く胴部２５と、胴部２５から伸びた針先２７と、胴部２５に取り付けられた胴側磁石２９とを有する。
第２連結部２３を第１連結部１３に向けて胴側磁石２９を背側磁石１７に吸着させたとき、仕掛け糸２１は、第２連結部２３を背部１１に位置決めする長さＬｗを有し、釣り針部２０は、胴部２５と針先２７を含む背側仮想平面ＩＰを長さ方向ＤＬに沿って背びれ状に位置させる。
なお、第２連結部２３を背部１１に位置決めするとは、長さＬｗに遊びが生じないように背部１１に沿って、第１連結部１３、仕掛け糸２１、第２連結部２３が略長さ方向ＤＬに配置されることであり、このとき、仕掛け糸２１は、背部１１に沿う形態となる。また、第２連結部２３および胴部２５（胴部２５および針先２７を含む背側仮想平面ＩＰ）は、長さ方向ＤＬにおいて略直線状に揃う状態となる。
【００１５】
道糸５の巻き取りが開始されるとルアー本体１０は水中を曳行される。このとき、釣り針部２０は、背側磁石１７に胴側磁石２９を吸着させた状態でそのまま曳行される。つまり、釣り針部２０は、ルアー本体１０の背部１１に背びれ状に突き出して保持された状態で曳行されるので、魚Ｆｉｓがルアー本体１０を捕食するとき直接的に釣り針部２０に針掛かりしやすくなる。すなわち、釣り針部２０は、背部１１から垂直方向に突き出した状態で移動するので、魚Ｆｉｓがルアー本体１０を捕食しようとしてそのまま釣り針部２０に接近しやすく、直接針掛かりしやすくなる。
上記したとおり、仕掛け糸２１は、ルアー本体１０の背部１１に沿って第１連結部１３から第２連結部２３まで長さ方向ＤＬに位置する長さＬｗを有するので余分なたるみを生じにくい。したがって、仕掛け糸２１は、道糸５への絡み、ルアー本体１０への絡みなどを生じにくい。
なお、釣り針部２０は、背部１１に配置されるので、上方から下方に向けて釣り用ルアー１を狙う習性を有する魚Ｆｉｓを釣りの対象とする場合に有効である。
【００１６】
また、魚Ｆｉｓが釣り針部２０に針掛かりしたとき、胴側磁石２９は、魚Ｆｉｓの動きに応じて背側磁石１７から分離し、釣り針部２０は、自由に動く状態となる（図３）。このとき、魚Ｆｉｓは釣り針部２０からの離脱を試みて動き回る。
しかし、仕掛け糸２１は、ルアー本体１０への吸着による固定状態から離れた自由状態となっているので、魚Ｆｉｓがルアー本体１０、ひいては釣り針部２０に対して力を加えようとしても力が加わりにくい状態となる。このため、魚Ｆｉｓの激しい動きは力を無駄に消耗しやすく、魚Ｆｉｓは疲れやすくなり、曳行中の動き（勢い）を弱めやすいので捕獲が容易になる。すなわち、釣り用ルアー１は、針掛かりした魚Ｆｉｓからの影響を抑制しやすい。
上記したとおり、本発明に係る釣り用ルアー１において、釣り針部２０は、背部１１から垂直方向に突き出した状態で移動するので、魚Ｆｉｓがルアー本体１０を捕食しようとしてそのまま釣り針部２０に接近しやすく、直接針掛かりしやすくなる。
魚Ｆｉｓが針掛かりしたとき、胴側磁石２９は、魚Ｆｉｓの動きに応じて背側磁石１７から分離し、釣り針部２０は、自由に動く状態となる。仕掛け糸２１は、ルアー本体１０への固定状態から離れた自由状態となるので、釣り用ルアー１は、針掛かりした魚Ｆｉｓからの影響を抑制しやすい。
【００１７】
背側磁石１７および胴側磁石２９はそれぞれ、両面が平行な平面で両面間の外周は円形であることが好ましい。胴側磁石２９は、胴部２５と針先２７が含まれる背側仮想平面ＩＰが背部１１に対して背びれ状になるように胴部２５に取り付けられる。
背側磁石１７は、半分程度埋め込まれた状態でも良いし、表面に接着された状態でも良い。背側磁石１７の表面は、吸着力を確保するために背部１１から露出していることが好ましい。
背側磁石１７および胴側磁石２９はそれぞれ、互いに同一寸法であり、長さ方向ＤＬに同じ間隔で２つ位置していることが好ましい。
背側磁石１７および胴側磁石２９は、それぞれ長さ方向ＤＬに２つ位置しているので、釣り針部２０の胴部２５は、ルアー本体１０の背部１１に沿う長さ方向ＤＬに正確に位置決めしやすくなり、必要な吸着力を確保するので針掛かり前の安定した位置、姿勢を維持しやすい。
背側磁石１７および胴側磁石２９は、釣り用ルアー１の生産において、同一の磁石が適用されるので、生産性が向上される。
【００１８】
胴部２５および胴側磁石２９の外側は、胴部２５および胴側磁石２９の全体を包む被覆膜４０で保護されている。被覆膜４０は、例えば熱溶着性を有する合成樹脂膜で形成される。被覆膜４０は、胴部２５、胴側磁石２９における不要な損傷を抑制しやすい。
ルアー本体１０は、複数に分割され、本体連結部１０ｂを介して相互に連結されている。これにより、ルアー本体１０は、魚の動きによる影響を防止して損傷を抑制できる。
また、仕掛け糸２１と第２連結部２３との間は、１本の金属線を連続して２重に巻かれた中間連結環２４によって連結され、釣り針部２０の交換、あるいは仕掛け糸２１の交換など部材の交換を容易にしている。
【００１９】
［実施の形態２］
図４および図５を参照して、本発明の実施の形態２に係る釣り用ルアー１について説明する。なお、本実施の形態２に係る釣り用ルアー１は、実施の形態１に係る釣り用ルアー１に補助針３０を追加した点が主に異なる事項であり、基本的な構成は共通する。共通部分については、同一の符号を付して説明を適宜省略する。また、主に異なる事項について説明する。
図４は、本発明の実施の形態２に係る釣り用ルアー１の側面状態を示す側面図である。
図５は、図４の矢印ＦＳ５−ＦＳ５における断面状態を拡大して示す拡大断面図である。
【００２０】
本実施の形態２に係る釣り用ルアー１において、釣り針部２０は、更に２つの補助針３０を備え、補助針３０はそれぞれ、胴部２５に沿う補助胴部３５と、補助胴部３５から伸びた補助針先３７と、を備え、補助針３０はそれぞれ、補助胴部３５と補助針先３７を含む背側補助仮想平面ＩＰｓを背側仮想平面ＩＰに対して胴部２５の円周回りで略１２０度離して位置させている。
針先２７を含む背側仮想平面ＩＰおよび補助針先３７のそれぞれを含む背側補助仮想平面ＩＰｓのそれぞれは、胴部２５の円周回りで互いに略１２０度の開き角θを置いて位置する。すなわち、胴部２５の円周回りにおいて等間隔で針先２７および補助針先３７が位置している。つまり、１つの胴部２５から伸びた針先２７および２つの補助胴部３５からそれぞれ伸びた補助針先３７は、胴部２５および補助胴部３５を中心として略等間隔で配置される。これにより、釣り針部２０は、背部１１から側面にわたる広い方向（略全方向）からの魚Ｆｉｓの捕食に対して向き合うので、針掛かりを生じやすくする。
【００２１】
また、背びれ方向に位置する針先２７に対して２つの補助針先３７は背部１１から互いに逆方向となる２つの側面に分かれてそれぞれ位置するので、補助針３０は、釣り針部２０をルアー本体１０に対して安定した状態で配置させる。したがって、補助針３０は、リーリング中における釣り針部２０の配置を安定させ、魚Ｆｉｓの警戒感を抑制するので針掛かりを生じやすくなる。なお、第２連結部２３は、実施の形態１に示したとおり、胴部２５に続く。
【００２２】
釣り用ルアー１において、２つの補助胴部３５はそれぞれ、胴部２５と胴側磁石２９との間に位置していることが好ましい。つまり、胴側磁石２９の側に２つの補助胴部３５が位置し、２つの補助胴部３５が１つの胴部２５を支持する三角形の状態となる。
このため、胴側磁石２９に対して補助胴部３５および胴部２５が安定して連結（載置）された状態となる。すなわち、補助胴部３５および胴部２５は疑似三角形ＰＤを構成しやすくなるので安定した形状を容易に実現できる。
１つの胴部２５および２つの補助胴部３５は、長さ方向ＤＬと垂直な面で互いに疑似三角形ＰＤの各頂点に対応している。底辺は２つの補助胴部３５で構成され、高さ方向の頂点は胴部２５で構成される。底辺は２つの補助胴部３５で構成されるので胴側磁石２９の表面に対して平行に連結され、安定した連結強度を確保しやすい。また、針先２７に対して補助針先３７は、正確に分布した状態を確保しやすく、配置の対称性を確保しやすい。
【００２３】
背側磁石１７および胴側磁石２９はそれぞれ、実施の形態１と同様である。つまり、背側磁石１７および胴側磁石２９は、それぞれ長さ方向ＤＬに同じ間隔で２つ位置しているので、釣り針部２０の胴部２５および補助胴部３５は、ルアー本体１０の背部１１に沿う長さ方向ＤＬに正確に位置決めしやすくなり、必要な吸着力を確保するので針掛かり前の安定した位置、姿勢を維持しやすい。
胴部２５、補助胴部３５、および胴側磁石２９の外側は、胴部２５、補助胴部３５、および胴側磁石２９の全体を包む被覆膜４０で保護され、被覆膜４０は、実施の形態１の場合と同様に作用する。つまり、胴部２５、補助胴部３５における不要な損傷を抑制できる。
【００２４】
［実施の形態３］
図６および図７を参照して、本実施の形態３に係る釣り用ルアー２について説明する。釣り用ルアー２の基本的な構成は、実施の形態１（図１、図２）に係る釣り用ルアー１と共通する。共通部分については、同一の符号を付して説明を適宜省略する。また、主に異なる事項について説明する。
また、実施の形態１、実施の形態２（釣り用ルアー１）においては、背部１１に背側磁石１７が位置するのに対して、本実施の形態３（釣り用ルアー２）においては腹部１２に腹側磁石１９が位置する点が相違する。
なお、後記するとおり、実施の形態４（釣り用ルアー２）は、本実施の形態３と同様、腹部１２に腹側磁石１９が位置する。
図６は、本発明の実施の形態３に係る釣り用ルアー２の側面状態を示す側面図である。
図７は、図６の矢印ＦＳ７−ＦＳ７における断面状態を拡大して示す拡大断面図である。
【００２５】
釣り用ルアー２は、長さ方向ＤＬに延びる腹部１２を有するルアー本体１０と、ルアー本体１０の先端１０ｔに固定され道糸５が連結される第１連結部１３と、第１連結部１３に仕掛け糸２１を介して繋がれた釣り針部２０と、を備える。
ルアー本体１０は、第１連結部１３から離れて腹部１２に取り付けられた腹側磁石１９を有し、釣り針部２０は、仕掛け糸２１が繋がれた第２連結部２３と、第２連結部２３に続く胴部２５と、胴部２５から伸びた針先２７と、胴部２５に取り付けられた胴側磁石２９とを有する。
第２連結部２３を第１連結部１３に向けて胴側磁石２９を腹側磁石１９に吸着させたとき、仕掛け糸２１は、第２連結部２３を腹部１２に位置決めする長さＬｗを有し、釣り針部２０は、胴部２５と針先２７を含む腹側仮想平面ＩＰｂを長さ方向ＤＬに沿って垂下状に位置させる。
なお、第２連結部２３を腹部１２に位置決めするとは、長さＬｗに遊びが生じないように腹部１２に沿って、第１連結部１３、仕掛け糸２１、第２連結部２３が略長さ方向ＤＬに配置されることであり、このとき、仕掛け糸２１は、腹部１２に沿う形態となる。また、第２連結部２３および胴部２５（胴部２５および針先２７を含む腹側仮想平面ＩＰｂ）は、長さ方向ＤＬにおいて略直線状に揃う状態となる。
【００２６】
道糸５の巻き取りが開始されるとルアー本体１０は水中を曳行される。このとき、釣り針部２０は、腹側磁石１９に胴側磁石２９を吸着させた状態でそのまま曳行される。つまり、釣り針部２０は、ルアー本体１０の腹部１２から垂下状に突き出して保持された状態で曳行されるので、魚Ｆｉｓがルアー本体１０を捕食するとき直接的に釣り針部２０に針掛かりしやすくなる。すなわち、釣り針部２０は、腹部１２から垂下状に突き出した状態で移動するので、魚Ｆｉｓがルアー本体１０を捕食しようとしてそのまま釣り針部２０に接近しやすく、直接針掛かりしやすくなる。
上記したとおり、仕掛け糸２１は、ルアー本体１０の腹部１２に沿って第１連結部１３から第２連結部２３まで長さ方向ＤＬに位置する長さＬｗを有するので余分なたるみを生じにくい。したがって、仕掛け糸２１は、道糸５への絡み、ルアー本体１０への絡みなどを生じにくい。
なお、釣り針部２０は、腹部１２に配置されるので、下方から上方に向けて釣り用ルアー２を狙う習性を有する魚Ｆｉｓを釣りの対象とする場合に有効である。
【００２７】
また、魚Ｆｉｓが釣り針部２０に針掛かりしたとき、胴側磁石２９は、魚Ｆｉｓの動きに応じて腹側磁石１９から分離し、釣り針部２０は、自由に動く状態となる（図３参照）。このとき、魚Ｆｉｓは釣り針部２０からの離脱を試みて動き回る。
しかし、仕掛け糸２１は、ルアー本体１０への吸着による固定状態から離れた自由状態となっているので、魚Ｆｉｓがルアー本体１０、ひいては釣り針部２０に対して力を加えようとしても力が加わりにくい状態となる。このため、魚Ｆｉｓの激しい動きは力を無駄に消耗しやすく、魚Ｆｉｓは疲れやすくなり、曳行中の動き（勢い）を弱めやすいので捕獲が容易になる。すなわち、釣り用ルアー１は、針掛かりした魚Ｆｉｓからの影響を抑制しやすい。
【００２８】
上記したとおり、本発明に係る釣り用ルアー２において、釣り針部２０は、腹部１２から垂下方向に突き出した状態で移動するので、魚Ｆｉｓがルアー本体１０を捕食しようとしてそのまま釣り針部２０に接近しやすく、直接針掛かりしやすくなる。
魚Ｆｉｓが針掛かりしたとき、胴側磁石２９は、魚Ｆｉｓの動きに応じて腹側磁石１９から分離し、釣り針部２０は、自由に動く状態となる。仕掛け糸２１は、ルアー本体１０への固定状態から離れた自由状態となるので、釣り用ルアー２は、針掛かりした魚Ｆｉｓからの影響を抑制しやすい。
【００２９】
腹側磁石１９および胴側磁石２９はそれぞれ、両面が平行な平面で両面間の外周は円形であることが好ましい。胴側磁石２９は、胴部２５と針先２７が含まれる腹側仮想平面ＩＰｂが腹部１２に対して垂下状になるように胴部２５に取り付けられる。
腹側磁石１９は、半分程度埋め込まれた状態でも良いし、表面に接着された状態でも良い。腹側磁石１９の表面は、吸着力を確保するために腹部１２から露出していることが好ましい。
腹側磁石１９および胴側磁石２９はそれぞれ、互いに同一寸法であり、長さ方向ＤＬに同じ間隔で２つ位置していることが好ましい。
腹側磁石１９および胴側磁石２９は、それぞれ長さ方向ＤＬに２つ位置しているので、釣り針部２０の胴部２５は、ルアー本体１０の腹部１２に沿う長さ方向ＤＬに正確に位置決めしやすくなり、必要な吸着力を確保するので針掛かり前の安定した位置、姿勢を維持しやすい。
腹側磁石１９および胴側磁石２９は、釣り用ルアー１の生産において、同一の磁石が適用されるので、生産性が向上される。
中間連結環２４、被覆膜４０は、実施の形態１と同様である。
【００３０】
［実施の形態４］
図８および図９を参照して、本発明の実施の形態４に係る釣り用ルアー２について説明する。なお、本実施の形態４に係る釣り用ルアー２は、実施の形態３に係る釣り用ルアー２に補助針３０を追加した点が主に異なる事項であり、基本的な構成は共通する。また、補助針３０は、実施の形態２（図４）と共通する。共通する部分については、同一の符号を付して説明を適宜省略する。また、主に異なる事項について説明する。
図８は、本発明の実施の形態４に係る釣り用ルアー２の側面状態を示す側面図である。
図９は、図８の矢印ＦＳ９−ＦＳ９における断面状態を拡大して示す拡大断面図である。
【００３１】
本実施の形態４に係る釣り用ルアー２において、釣り針部２０は、実施の形態２に係る釣り針部２０と同様である。つまり、釣り針部２０は、更に２つの補助針３０を備え、補助針３０はそれぞれ、胴部２５に沿う補助胴部３５と、補助胴部３５から伸びた補助針先３７と、を備え、補助針３０はそれぞれ、補助胴部３５と補助針先３７を含む腹側補助仮想平面ＩＰｓｂを腹側仮想平面ＩＰｂに対して胴部２５の円周回りで略１２０度離して位置させている。
針先２７を含む腹側仮想平面ＩＰｂおよび補助針先３７のそれぞれを含む腹側補助仮想平面ＩＰｓｂのそれぞれは、実施の形態２の場合と同様、胴部２５の円周回りで互いに略１２０度の開き角θを置いて位置する。すなわち、胴部２５の円周回りにおいて等間隔で針先２７および補助針先３７が位置している。つまり、１つの胴部２５から伸びた針先２７および２つの補助胴部３５からそれぞれ伸びた補助針先３７は、胴部２５および補助胴部３５を中心として略等間隔で配置される。これにより、釣り針部２０は、腹部１２から側面にわたる広い方向（略全方向）からの魚Ｆｉｓの捕食に対して向き合うので、針掛かりを生じやすくする。
【００３２】
また、垂下方向に位置する針先２７に対して２つの補助針先３７は腹部１２から互いに逆方向となる２つの側面に分かれてそれぞれ位置するので、補助針３０は、釣り針部２０をルアー本体１０に対して安定した状態で配置させる。したがって、補助針３０は、リーリング中における釣り針部２０の配置を安定させ、魚Ｆｉｓの警戒感を抑制するので針掛かりを生じやすくなる。なお、第２連結部２３は、実施の形態１に示したとおり、胴部２５に続く。
【００３３】
釣り用ルアー２において、２つの補助胴部３５はそれぞれ、胴部２５と胴側磁石２９との間に位置していることが好ましい。つまり、胴側磁石２９の側に２つの補助胴部３５が位置し、２つの補助胴部３５が１つの胴部２５を支持する三角形の状態となる。
このため、胴側磁石２９に対して補助胴部３５および胴部２５が安定して連結（載置）された状態となる。すなわち、補助胴部３５および胴部２５は疑似三角形ＰＤを構成しやすくなるので安定した形状を容易に実現できる。つまり、実施の形態２と同様である。
１つの胴部２５および２つの補助胴部３５は、長さ方向ＤＬと垂直な面で互いに疑似三角形ＰＤの各頂点に対応している。底辺は２つの補助胴部３５で構成され、高さ方向の頂点は胴部２５で構成される。底辺は２つの補助胴部３５で構成されるので胴側磁石２９の表面に対して平行に連結され、安定した連結強度を確保しやすい。また、針先２７に対して補助針先３７は、正確に分布した状態を確保しやすく、配置の対称性を確保しやすい。
【００３４】
腹側磁石１９および胴側磁石２９はそれぞれ、実施の形態３と同様である。つまり、腹側磁石１９および胴側磁石２９は、それぞれ長さ方向ＤＬに同じ間隔で２つ位置しているので、釣り針部２０の胴部２５および補助胴部３５は、ルアー本体１０の腹部１２に沿う長さ方向ＤＬに正確に位置決めしやすくなり、必要な吸着力を確保するので針掛かり前の安定した位置、姿勢を維持しやすい。
胴部２５、補助胴部３５、および胴側磁石２９の外側は、胴部２５、補助胴部３５、および胴側磁石２９の全体を包む被覆膜４０で保護され、被覆膜４０は、実施の形態３の場合と同様に作用する。つまり、胴部２５、補助胴部３５における不要な損傷を抑制できる。
なお、本実施の形態３、実施の形態４の場合においても、実施の形態１、実施の形態２の場合と同様、釣り用ルアー２に魚Ｆｉｓが針掛かりしたときの状態は、図３に示した概念図と同様に作用する。
【００３５】
［実施の形態５］
本実施の形態５に係る釣り用ルアー３は、ルアー本体１０に背側磁石１７および腹側磁石１９を備える。釣り用ルアー３のルアー本体１０は、図１０（実施の形態６）と共通する。なお、釣り針部２０は、実施の形態１（図１）、実施の形態３（図６）と共通する。このため、実施の形態５としての図は省略する。
また、釣り用ルアー３の基本的な構成は、実施の形態１に係る釣り用ルアー１、実施の形態３に係る釣り用ルアー２と共通する。共通部分については、同一の符号を付して説明を適宜省略する。また、主に異なる事項について説明する。
【００３６】
本実施の形態５に係る釣り用ルアー３（図１０参照）は、長さ方向ＤＬに延びる背部１１および腹部１２を有するルアー本体１０と、ルアー本体１０の先端１０ｔに固定され道糸５が連結される第１連結部１３と、第１連結部１３に仕掛け糸２１を介して繋がれた釣り針部２０と、を備える。
ルアー本体１０は、第１連結部１３から離れて背部１１に取り付けられた背側磁石１７と、第１連結部１３から離れて腹部１２に取り付けられた腹側磁石１９と、を有し、釣り針部２０は、仕掛け糸２１が繋がれた第２連結部２３と、第２連結部２３に続く胴部２５と、胴部２５から伸びた針先２７と、胴部２５に取り付けられた胴側磁石２９と、を有する。
第２連結部２３を第１連結部１３に向けて、胴側磁石２９を背側磁石１７に吸着させたとき、仕掛け糸２１は、第２連結部２３を背部１１に位置決めする長さＬｗを有し、釣り針部２０は、胴部２５と針先２７を含む背側仮想平面ＩＰを長さ方向ＤＬに沿って背びれ状に位置させ、あるいは、第２連結部２３を第１連結部１３に向けて、胴側磁石２９を腹側磁石１９に吸着させたとき、仕掛け糸２１は、第２連結部２３を腹部１２に位置決めする長さＬｗを有し、釣り針部２０は、胴部２５と針先２７を含む腹側仮想平面ＩＰｂを長さ方向ＤＬに沿って垂下状に位置させる。
【００３７】
すなわち、背部１１に背側磁石１７が配置され、腹部１２に腹側磁石１９が配置されるので、ルアー本体１０は、後記する実施の形態６の状態を有する。つまり、ルアー本体１０は、実施の形態１における背側磁石１７および実施の形態３における腹側磁石１９を併せ持った状態を有する。
ルアー本体１０は、背側磁石１７および腹側磁石１９を有するのに対して釣り針部２０は１つである。したがって、使用時は、実施の形態１あるいは実施の形態３のいずれかの状態となる。このため、釣りの対象とする魚Ｆｉｓの習性に応じて、釣り針部２０は、背側磁石１７に吸着させて使用される場合と、あるいは、腹側磁石１９に吸着させて使用される場合とがある。
【００３８】
つまり、上方から下方に向けて釣り用ルアー３を狙う習性を有する魚Ｆｉｓに対しては、釣り針部２０は背側磁石１７に吸着させて使用され、下方から上方に向けて釣り用ルアー３を狙う習性を有する魚Ｆｉｓに対しては、釣り針部２０は腹側磁石１９に吸着させて使用される。
このため、釣り用ルアー３は、１つのルアー本体１０において、背部１１に釣り針部２０を位置させ、あるいは、腹部１２に釣り針部２０を位置させる。したがって、１つの釣り用ルアー３で、釣り針部２０を魚種の習性に応じた位置に設定できるので、汎用性が向上する。
上記した形態から、釣り針部２０が背側磁石１７に吸着された場合は、実施の形態１と同様に作用する。また、釣り針部２０が腹側磁石１９に吸着された場合は、実施の形態３と同様に作用する。
【００３９】
実施の形態１（図１）に示したとおり、背側磁石１７および胴側磁石２９はそれぞれ、互いに同一寸法であり、長さ方向ＤＬに同じ間隔で２つ位置している。また、実施の形態３（図６）に示したとおり、腹側磁石１９および胴側磁石２９はそれぞれ、互いに同一寸法であり、長さ方向ＤＬに同じ間隔で２つ位置している。
また、第１連結部１３から背側磁石１７までの距離および第１連結部１３から腹側磁石１９までの距離は、胴側磁石２９を背側磁石１７に吸着させた場合、または、胴側磁石２９を腹側磁石１９に吸着させた場合において、単一の仕掛け糸２１の長さＬｗ（図１０では図示を省略）で第２連結部２３および胴部２５が長さ方向ＤＬに揃うように配置されている。
つまり、仕掛け糸２１の長さＬｗに応じて背側磁石１７および腹側磁石１９の位置が規定されているので、背部１１および腹部１２の形状（長さ方向ＤＬにおける長さ）が相違する場合でも釣り針部２０は、自己整合的に背側磁石１７あるいは腹側磁石１９に吸着される。
【００４０】
上記したとおり、本発明に係る釣り用ルアー３において、釣り針部２０は、背部１１から垂直方向に、あるいは、腹部１２から垂下方向に突き出した状態で移動するので、魚Ｆｉｓがルアー本体１０を捕食しようとしてそのまま釣り針部２０に接近しやすく、直接針掛かりしやすくなる。
魚Ｆｉｓが針掛かりしたとき、胴側磁石２９は、魚Ｆｉｓの動きに応じて背側磁石１７あるいは腹側磁石１９から分離し、釣り針部２０は、自由に動く状態となる。仕掛け糸２１は、ルアー本体１０への固定状態から離れた自由状態となるので、釣り用ルアー２は、針掛かりした魚Ｆｉｓからの影響を抑制しやすい。
【００４１】
［実施の形態６］
図１０を参照して、本発明の実施の形態６に係る釣り用ルアー３について説明する。なお、本実施の形態６に係る釣り用ルアー３は、釣り針部２０以外の部分は、実施の形態５の釣り用ルアー３と共通する。共通部分については、同一の符号を付して説明を適宜省略する。作用効果についても実施の形態５の釣り用ルアー３と同様である。
本実施の形態６に係る釣り用ルアー３は、釣り針部２０に補助針３０を有する点で実施の形態２の釣り用ルアー１（図４、図５）、実施の形態４の釣り用ルアー２（図８、図９）と共通する。共通部分については、同一の符号を付して説明を適宜省略する。また、主に異なる事項について説明する。作用効果についても実施の形態２、実施の形態４と同様であり、更に実施の形態５の釣り用ルアー３と同様である。
【００４２】
図１０は、本発明の実施の形態６に係る釣り用ルアー３の側面状態を概念的に示す側面図である。なお、図１０では、釣り針部２０は、外れた状態として示す。
上記したとおり、本実施の形態６に係る釣り用ルアー３は、実施の形態５に係る釣り用ルアー３に対して補助針３０が追加されている点で異なる。したがって、その点について主に説明する。なお、上記したとおり、補助針３０を有する点は、実施の形態２の釣り用ルアー１、実施の形態４の釣り用ルアー２と同様である。
本実施の形態６に係る釣り用ルアー３において、釣り針部２０は、更に２つの補助針３０を備え、補助針３０はそれぞれ、胴部２５に沿う補助胴部３５と、補助胴部３５から伸びた補助針先３７と、を備え、補助針３０はそれぞれ、補助胴部３５と補助針先３７を含む背側補助仮想平面ＩＰｓを背側仮想平面ＩＰに対して胴部２５の円周回りで略１２０度離して位置させ（図４、図５参照）、あるいは、補助胴部３５と補助針先３７を含む腹側補助仮想平面ＩＰｓｂを腹側仮想平面ＩＰｂに対して胴部２５の円周回りで略１２０度離して位置させる（図８、図９参照）。
【００４３】
その他の構成は、他の実施の形態で既に説明したとおりである。したがって、詳細な説明は省略する。
本実施の形態６に係る釣り用ルアー３によれば、釣り針部２０が背側磁石１７に吸着された場合は、実施の形態２と同様な作用が得られ、あるいは、釣り針部２０が腹側磁石１９に吸着された場合は、実施の形態４と同様な作用が得られる。つまり、１つの釣り用ルアー３であっても釣り針部２０を背側磁石１７に吸着させた場合と、腹側磁石１９に吸着させた場合とで異なる２つの作用が得られる。
【産業上の利用可能性】
【００４４】
本発明は、大きな魚体に対して有効な釣り用ルアーを提供できるので、釣り用ルアーの製造に有用である。
【符号の説明】
【００４５】
１、２、３  釣り用ルアー
５  道糸
１０  ルアー本体
１０ｂ  本体連結部
１０ｔ  先端
１１  背部
１２  腹部
１３  第１連結部
１７  背側磁石
１９  腹側磁石
２０  釣り針部
２１  仕掛け糸
２３  第２連結部
２４  中間連結環
２５  胴部
２７  針先
２９  胴側磁石
３０  補助針
３５  補助胴部
３７  補助針先
４０  被覆膜
ＤＬ  長さ方向
Ｆｉｓ  魚
ＩＰ  背側仮想平面
ＩＰｓ  背側補助仮想平面
ＩＰｂ  腹側仮想平面
ＩＰｓｂ  腹側補助仮想平面
Ｌｗ  長さ
ＰＤ  疑似三角形
θ  開き角
【図１】
2019017296.tif 000003
【図２】
2019017296.tif 000004
【図３】
2019017296.tif 000005
【図４】
2019017296.tif 000006
【図５】
2019017296.tif 000007
【図６】
2019017296.tif 000008
【図７】
2019017296.tif 000009
【図８】
2019017296.tif 000010
【図９】
2019017296.tif 000011
【図１０】
2019017296.tif 000012